(57)【要約】      （修正有）【課題】屋根板と屋根板または吊子片との接続部分が、熱膨張による伸縮作用で生ずる金属音を防止する。【解決手段】平坦部１１の軒側端に形成した軒側連結部１４と棟側端に形成した棟側連結部２０とを一体にアルミ押出成形により形成した屋根板１０と、先端を浮かせて支持受部３２を形成した基板３１の中央に樹立させた立上部３６の軒側壁面に係止突起３７を突け、該立上部の上部を軒側に折曲げて先端を鉤形に形成した係止受部３９をアルミ押出成形により形成した吊子片３８とからなる。一方の屋根板の棟側連結部と他方の屋根板の軒側連結部とを互いに嵌合連結させると共に、屋根板の棟側連結部の掛止部１８に前記吊子片の係止受部を嵌合し、棟側連結部の壁部２３に吊子片の係止突起を当接させて平坦部の下支点を吊子片の支持受部に支持させた吊子片を野地板５５に固定して屋根板を連結させる。【選択図】  図８
2004162420.tif 000002
【特許請求の範囲】
【請求項１】
平坦部の軒側端を下方に折曲げて形成した軒側連結部と、前記平坦部の棟側端を上方に折り曲げて形成した棟側連結部とを一体にアルミ押出成形により形成した屋根板と、
先端を浮かせて支持受部を形成した基板の中央に樹立させた立上部の軒側壁面に係止突起を突け、該立上部の上部を軒側に折曲げて先端を鉤形に形成した係止受部をアルミ押出成形により形成した吊子片とからなり、
一方の屋根板の棟側連結部と他方の屋根板の軒側連結部とを互いに軒側から棟側にそれぞれ嵌合連結させると共に、屋根板の棟側連結部の掛止部に前記吊子片の係止受部を嵌合して棟側連結部の壁部に吊子片の係止突起を当接させて平坦部の下支点を吊子片の支持受部に支持させた吊子片を野地板に固定して屋根板を連結させることを特徴とするアルミ屋根板を用いた横葺屋根工法。
【請求項２】
平坦部の軒側端を下方に折曲げて形成した前面部の下端を内側に折曲げて底面部を形成し、該底面部の一端に設けた立上部の先端に掛止部を連続して軒側連結部を設け、前記平坦部の棟側端を上方に折曲げて形成した立上部の上端に水平な棚受部を設け、該棚受部の先端を上方に折曲げて形成した壁部の先端を前記平坦部方向に湾曲させて設けた湾曲部の先端に反り部を設け、該反り部の先端を上方に折曲げた掛止部を連続して一体に形成した棟側連結部をアルミ押出成形により形成した屋根板と、
先端を上方に折曲げて浮かせて形成した支持受部の先端を下方に折曲げて斜状舌部を設け、前記基板の中央に樹立させた立上部の軒側壁面に突出させた係止突起を設け、該立上部の上部を軒側に折曲げて形成した上面部の先端に鉤形の係止受部をアルミ押出成形により形成した吊子片とからなり、
一方の屋根板の凹入部に他方の屋根板の軒側連結部の斜掛止部を挿入させて該掛止部の先端を棟側連結部の係止段部に係止させ、軒側連結部の底面部を棟側連結部の棚受部の上面に係止して軒側から棟側にそれぞれ嵌合連結し、各屋根板の棟側連結部の掛止部に吊子片の係止受部を嵌合させ、棟側連結部の壁部に吊子片の係止突部を当接させて平坦部の下支点を吊子片の支持受部にそれぞれ支持させた吊子片を野地板に固定して連結させることを特徴とするアルミ屋根板を用いた横葺屋根工法。
【請求項３】
前記屋根板の平坦部の裏面から棟側連結部の外側まで断熱部材を装着させたことを特徴とする請求項１又は２記載のアルミ屋根板を用いた横葺屋根工法。
【発明の詳細な説明】
【０００１】
本発明は、アルミ押出成形材からなる屋根板を用いて形成する横葺屋根において、屋根板の熱膨張による伸縮作用で生ずる金属音の発生を防止する横葺屋根工法に関する。
【０００２】
【従来の技術】
横葺屋根に使用される金属製屋根板には多種多様なものがある。その代表的な屋根板として、図１０に示したトタン板または銅板などの薄い金属板材で形成した屋根板材６０と、図１１に示したアルミ材を押出成形により形成したアルミ屋根板７０が知られている。
【０００３】
屋根板材６０の主要部である平坦部６１の軒側端を下方に折曲げて前面部６２を形成し、該前面部の下端を棟側に折曲げて設けた底面部６３の端部を鉤形に折曲げて段部６４を形成し、該段部の先端を折返して二重して補強した挿入部６５を設けてある。平坦部６１の棟側端を上方に折曲げて立上壁６６を形成し、該立上部の上端を棟方向に折曲げて形成した棚部６７の端部をＵ字型に折返して係止部６８を設け、該係止部の先端を斜め上方に突出して突起部６９を設けてある。この係止部６８の内側には、屋根板材６０の挿入部６５を嵌合させる凹入部Ｍを形成してある。
【０００４】
アルミ屋根板７０の主要部である平坦部７１の軒側端を下方に折曲げて前面部７２を形成し、該前面部の下部を棟側に折曲げて形成した底面部７３の端部を斜め上方に折曲げて挿入部７４を設けてある。この平坦部７１の棟側端を上方に折曲げて形成した立上部７５の上端を棟側に折曲げて受棚部７６を設けてある。また受棚部の端部を上方に略直角に折曲げて設けた壁面部７７の上部を軒側に直角に折曲げて前記受棚部と平行な天井面７８を形成し、該天井面の先端を斜め上方に折曲げて挿入部７９を設け、平面部７８と挿入部７９とで挿入部片９０を形成してある。この受棚部７６と壁面部７７と挿入部片７９の内側には、アルミ屋根板７０の軒側の挿入部７４を掛止する凹入部Ｎを形成してある。
【０００５】
図１２において、前記アルミ屋根板７０を野地板に固定する吊子片８０はアルミ押出成形により形成され、該吊子片の下端に設けた基板８１の前方には載置部８２を設けてある。基板８１の中間部から樹立させた立上部８５の上端を棟側に折曲げて形成した平面部８６の先端下側に鉤型をした掛止受部８７を形成してある。
【０００６】
屋根板材６０を使用して行う屋根葺は、図１３に示すごとく、一方の屋根板材６０Ａの凹入部Ｍに、他方の屋根板材６０Ｂの挿入部６５を挿入嵌合させて連結する。この場合、凹入部Ｍの内壁面と挿入部６５の外壁面とは広い面で接触して摩擦抵抗を大きくして嵌合部分の分離を防止している。屋根板材６０Ａの棟側連結部には、一定間隔に配した複数の吊子片Ｐを用いて屋根板材６０Ａを野地板Ｑに固定している（たとえば、特許文献１参照）。
【０００７】
【特許文献１】
特開昭６２−２４２０４０号（第５頁、第３図）
【０００８】
図１４に示すように、アルミ屋根板７０Ａ、７０Ｂと吊子片８０を用いて行う屋根葺は、一方の屋根板７０Ａの凹入部Ｎに他方の屋根板７０Ｂの挿入部７４を挿入して連結する。この場合、屋根板７０Ａの壁面部７７と、吊子片８０の立上部８５の前面とはそれぞれ面接触している。屋根板７０Ａの掛止部７９は、一定間隔に配した複数の吊子片８０の掛止受部８７を掛止して屋根板７０Ａ、７０Ｂを野地板５５に固定している。
【０００９】
吊子片８０と屋根板７０Ａ、７０Ｂの連結は、吊子片の掛止受部８７に屋根板７０Ａの棟側の掛止部７９を挿入し、該屋根板の平坦部７１の下支点７１ａを吊子片８０の載置部８２上に位置させ、ついで、該屋根板の壁部７７と吊子片の立上部８５とを面接触させて支持して行なっている（例えば、特許文献２参照）。
【００１０】
図１１に示した天井面７８と挿入部７９とからなる挿入部片９０の距離Ｅと、図１２に示した平面部８６の距離、即ち、立上部８５の内面と掛止受部８７の内面との距離Ｆは、前記Ｅと同じ距離に形成してあり、挿入部片９０を多少撓ませる位にして該挿入部７８に弾発力を具有させた状態で吊子片８０の掛止受部８７に嵌合して連結してある（Ｅ＝Ｆ）。このように、アルミ屋根板の挿入部７９が撓んでストレスが加わった状態で吊子片８０の掛止受部８７内に嵌合している状態では、熱膨張により屋根板が伸縮すると、吊子片の立上部８５の前面と屋根板７０の壁部７７の外面とが接する広い範囲の面接触部分から大きな金属音が発生するという問題点がある。
【００１１】
【特許文献２】
特開平１０−１５２９５７号（第４−５頁、図１９）
【００１２】
図１５は、アルミ屋根板７０Ａ、７０Ｂの連結部分を示すもので、野地板５５と屋根板７０Ａの平坦部７１の下支点７１ａとは離れた状態の浮陸Ｔが生じている。この浮陸Ｔは、野地板５５から屋根板の下支点７１ａが浮いているため屋根板に圧力（人が乗る）が加わったり、太陽熱により屋根板が熱膨張で伸びると接合部分がこすれて金属音を発生することが知られている。
【００１３】
建物の屋根板は最も外界から温度変化の影響を受けやすい個所に位置するため、該屋根板の所在する地域によって冬季は約ー２０℃位まで温度が降下し、夏季は約９０℃位まで温度が上昇し、その差は大体約１１０℃位の温度変化の影響を受ける。しかも、屋根板の温度変化による伸縮方向が一定であるとは限らない。
【００１４】
【発明が解決しようとする課題】
前記のように、屋根板材６０やアルミ屋根板７０が、温度変化の影響を受けて伸縮すると、屋根板と吊子片との間において該屋根板の挿入部７９を撓ませてガタ付きを無くしストレスを残存させて連結してある。さらに、野地板と屋根板との間に浮陸を有して屋根板の壁面部７７と吊子片の立上部８５とが広い範囲で面接触しているため、強い太陽光により屋根板が熱膨張により伸びると、該面触部分がこすれて「ピシッ」という摩擦音（金属音）が生じてしまう。
【００１５】
都市部に位置する建物の屋根の場合は、接触部分がこすれて金属音が発生してもほとんど問題にはならないが、自然環境の中に設置させた例えばバードウオッチング用の観察小屋の場合には、この摩擦音の発生が重大な問題となる。この観察小屋で観察中に「ピシッ」という金属音が出ると鳥が逃げてしまい、自然の野鳥観察ができなくなるという問題点がある。また、野鳥観察以外にも自然環境に設置した建物の中で授業を行う場合に、金属音が頻繁に発生すると授業を行う先生や生徒はその音が気になり、授業に集中できなくなる等という問題点を有している。
【００１６】
本発明は、屋根板を組み合わせて屋根葺きした場合に、熱膨張により屋根板が伸縮した際に摩擦音（金属音）が発生するのを防止するものである。
【００１７】
【課題を解決するための手段】
請求項１の発明は、平坦部の軒側端を下方に折曲げて形成した軒側連結部と、前記平坦部の棟側端を上方に折曲げて形成した棟側連結部をアルミ押出成形により形成した屋根板と、先端を浮かせて支持受部を形成した基板の中央に樹立させた立上部の軒側壁面略中央を突出させて係止突部を設け、該立上部の上部を軒側に折曲げて先端を鉤形に形成した係止受部をアルミ押出成形により形成した吊子片とからなり、一方の屋根板の棟側連結部と他方の屋根板の軒側連結部とを互いに軒側から棟側に嵌合連結させると共に、該屋根板の棟側連結部の掛止部に前記吊子片の係止受部を嵌合して棟側連結部の壁部に吊子片の係止突部を当接させて平坦部の下支点を吊子片の支持段部に支持させた吊子片を野地板に固定して屋根板を連結させることを特徴とする。
【００１８】
したがって、屋根板と屋根板または屋根板と吊子片との接触部分を少なくした屋根板の熱膨張による伸縮によって生ずる摩擦音の発生を防止できる。
【００１９】
請求項２の発明は、平坦部の軒側端を下方に折曲げて形成した前面部の下端を内側に折曲げて底面部を形成し、該底面部の一端に設けた立上部の先端に掛止部を連続して軒側連結部を設け、前記平坦部の棟側端を上方に折曲げて形成した立上部の上端に水平な棚受部を設け、該棚部の先端を上方に折曲げて形成した壁部の先端を前記平坦部側に湾曲させて設けた湾曲部の先端には反り部を設け、該反り部の先端を上方に折曲げた掛止部を連続して設けた棟側連結部をアルミ押出成形により形成した屋根板と、先端を上方に折曲げて浮かせて形成した支持受部の先端を下方に折曲げた斜状舌部を設け、前記基板の中央に樹立させた立上部の略中央軒側壁面を突出させて係止突部を設け、該立上部の上部を軒側に折曲げて上面部を形成し、該上面部の先端に鉤形の係止受部をアルミ押出成形により形成した吊子片とからなり、一方の屋根板の凹入部に他方の屋根板の軒側連結部の斜掛止部を挿入させて該掛止部の先端を棟側連結部の係止段部に係止させ、軒側連結部の底面部を棟側連結部の棚受部の上面に係止して軒側から棟側にそれぞれ嵌合連結し、各屋根板の棟側連結部の掛止部に吊子片の係止受部を嵌合させ、棟側連結部の壁部に吊子片の係止突部を当接させて平坦部の下支点を吊子片の支持受部にそれぞれ支持した吊子片を野地板に固定して連結させることを特徴とする。屋根板の平坦部の裏面及び棟側連結部の壁部の外面に断熱部材を装着させてもよいものである。
【００２０】
したがって、屋根板と吊子片との接触部分を少なくして取付けてあるので屋根板が温度変化で伸縮した際に生ずる摩擦音（金属音）の発生を防止することができる。また、屋根板の裏面から棟側連結部の外側まで断熱部材を装着させると外気の断熱、雨音などの防音、防湿、室内の保温効果を有するという利点がある。さらに吊子片の係止突起と屋根板の棟側の外面とが、断熱部材を介して当接しているので金属音の発生を一層防止することができる。
【００２１】
【発明の実施の形態】
本発明に係る実施の形態を図面により説明すると、図１は横葺屋根の片側部分を一部破断した平面図、図２は本発明に係る第１の屋根板の端面図、図３は第１の係止突起を有する吊子片の端面図、図４は第２の係止突起を有する吊子片の端面図、図５は本発明に係る第２の屋根板の端面図、図６は屋根板の棟側連結部に複数の吊子片を取付けた状態の平面図である。
【００２２】
図２において、１０はアルミ押出成形により形成した第１の屋根板で、平坦部１１の軒側端を下方に折曲げて軒側連結部１４を形成し、この平坦部の棟側端を上方に折曲げて棟側連結部２０を設けてある。軒側連結部１４は、平坦部１１の軒側端を下方に折曲げて形成した前面部１５の下端を平坦部側に折曲げて底面部１６を設け、該底面部の一端を上方に立上らせて設けた立上部１７の先端に斜掛止部１８を連続して形成してある。この斜掛止部１８の先端部分は弧状部に形成し、該斜掛止部の先端部が面接触でなく線接触するようにしてある。
【００２３】
屋根板１０の棟側連結部２０は平坦部１１の棟側端の下支点１２から上方に折曲げて形成した立上部２１の上端を棟側に折曲げて設けた水平な棚受部２２の先端を更に上方に折曲げて壁部２３を形成してある。この壁部の先端を平坦部１１側に湾曲させて形成した湾曲部２４の先端を斜め上方に弓状反り部２５を形成し、該反り部の先端に設けた掛止部２６の先端部を弧状部に形成して当接面積が小さくなるようにしてある。
【００２４】
湾曲部２４と反り部２５の境には、内方に突出させた係止段部２７を設け、前記棚受部２２と壁部２３と湾曲部２４の内側に凹入部Ｘを形成してある。前記凹入部Ｘにおいて、湾曲部２４の内面上部に係止段部２７を設けたことにより、他の屋根板の斜掛止部１８が凹入部Ｘ内に挿入すると、壁部に連なる湾曲部２４の内壁が湾曲しているので、該斜掛止部１８の先端は壁部２３から湾曲部２４に移動して係止段部２７に確実に係止する。したがって、一方の屋根板１０の軒側連結部１４と、他方の屋根板１０の棟側連結部２０とは容易に連結して屋根葺の作業能率を向上させることができる。
【００２５】
図３は、アルミ押出成形により形成した吊子片３０で、該吊子片の下部に設けた基板３１の先端を上方に折曲げて浮かせて形成した支持受部３２の先端に、先端部を下方に折曲げて上下方向に多少の弾力性を具有させた斜状舌部３３を設けてある。基板３１の後部側に吊子片３０を野地板上にねじ止する際のねじ穴を設ける目印となる案内溝３５を設けてある。基板３１の中央に設けた立上部３６の上部を軒側に折曲げて形成した上面部３８の先端内部には、屋根板の棟側連結部２０の掛止部２６を係止させる係止受部３９を設けてある。立上部３６の前面中央部には水平方向に細巾の係止突起３７を設け、前記棟側連結部２０に設けた壁部２３の外壁面との接触面積を小さくして線状に接触するようにし、熱膨張により屋根板が伸縮した際に生ずる摩擦音（金属音）の発生を防止している。図２に示した壁部２３に連なる湾曲部２４と反り部２５と掛止部２６との距離Ｈは、図３に示した立上部の第１の係止突部３７と係止受部３９との距離Ｉと略等しく形成してあるが、立上部３６と係止突部３７の先端との間に距離Ｇを設けてある。
【００２６】
図４は、吊子片の立上部３６に設けた係止突起の他の実施形態を示すもので、吊子片３０ａの立上部３６ａの軒側壁面の略中央部分に弧状に形成した係止突起３７ａを設けてある。この係止突起３７ａに当接する屋根板１０の壁部２３の外壁面との当接面積を広い面ではなく狭くて線状になるように小さくし、屋根板１０が温度変化で伸縮した際に吊子片３６ａとの間において生ずる摩擦音（金属音）の発生を防止するようにしたものである。
【００２７】
図５は、図２に示した屋根板と同形の第２の屋根板１０ａで、平坦部１１ａの軒側端には軒側連結部１４ａを、棟側端には棟側連結部２０ａをそれぞれ形成し、屋根板の平坦部１１ａの裏面から棟側連結部２０ａの外側、少なくともに壁部２３ａの外側まで断熱部材４８を装着してある。この断熱部材４８は発泡性樹脂材が好ましく、外気の断熱、雨音などの防音、防湿を図ると共に、室内の保温効果を向上させるものである。
【００２８】
以下、本発明に係る実施形態の作用について説明すると、屋根下地（図示せず）の軒先に取付けた軒先唐草（図示せず）と、屋根板１０と、吊子片３０と、棟側の頂部に取付ける棟枠板（図示せず）とを使用して軒側Ｋから棟側Ｌに向かって順次屋根葺きを行う。
【００２９】
図７に示すように、屋根板１０Ａと吊子片３０を連結するには、野地板５５に取付けた吊子片の係止受部３９に、屋根板１０Ａの掛止部２６の先端部を挿入係止させる。次いで、平坦部１１の下支点１２の支持受部３２上に位置し、吊子片の係止受部３９を屋根板の掛止部２６に掛止し、吊子片の基部３１を野地板５５方向に押し下げると、下支点１２は斜状舌部３３の斜面に沿って移動又は摺動させて弾発力を有した支持受部３２上に載置する。それと同時に、屋根板１０Ａの壁部２３の外面は、立上部３６の第１の係止突起３７ａに当接して、平坦部１１の棟側連結部２０を吊子片３０に連結する。
【００３０】
従来、吊子片の立上部３６の前面に、屋根板１０Ａの壁部２３の外面が広い平面で接触するため、熱膨張により屋根板が伸縮すると該屋根板の壁部２３の外面と吊子片の立上部３６の全面とが広い範囲で接触した状態で伸縮移動する。そのため、立上部３６の前面と屋根板の壁部の外面との間で、かん高い金属騒音が発生する。しかし、立上部３６の広い前面ではなく該立上部の前面の中間部分に水平方向に設けた細巾の係止突起３７ａの先端は、狭い面積となる凸条部に形成してあるため、屋根板が熱膨張により伸縮しても野地板に固定されている吊子片との間でかん高い金属音の発生を防止することができる。
【００３１】
この屋根板の掛止部２６と吊子片３０の係止受部３９との接触部分も線状の狭い範囲で線状に接触している。さらに、この屋根板と吊子片３０の支持受部３２も狭い範囲で線状に接触している。このように、屋根板１０と吊子片３０とは３点で接触しており、しかも線状の狭い範囲に接触して支持されているため熱膨張などで屋根板が伸縮して金属がこすれて生じるかん高い金属騒音の発生を防止することができる。
【００３２】
支持受部３２は、基板３１の先端を野地板５５面から浮かせて弾発力を設けてあるため、平坦部１１の下支点１２が支持受部３２に当接すると、該下支点は支持受部３２の斜状舌部３３に案内されながら支持受部３２の弾発力に抗して支持受部上に位置させ、該支持受部の弾発力により棟側連結部２０を吊子片３０に係止する。次いで、この屋根板１０Ａの棟側連結部２０を支持した吊子片３０の基板３１を野地板５５に接地させて該基板に設けた案内溝３５に設けたねじ孔にねじ５６を挿通して野地板５５に固定する。
【００３３】
屋根板１０Ａの棟側連結部２０の掛止部２６と吊子片の係止受部３９、また、屋根板の棟側連結部の壁部２３と吊子片の係止突起３７とを夫々狭い範囲で線状に接触させ、さらに、平坦部の下支点１２と支持受部３２とをそれぞれ接触させて取付けてある。この吊子片３０の立上部に水平方向に細巾の係止突起３７を設けて屋根板の壁部２３の前面と立上部３６の前面との間に距離Ｇを形成し、係止受部３９に掛止した掛止部２６が圧縮されて撓まないようにしてストレスを設けないようにしてある。そして、互いに線状に接触させて当接面積を小さくすることにより屋根板が温度変化により伸縮しても、吊子片３０との接触部分から従来生じていた摩擦音（金属音）の発生を防止できる。
【００３４】
図８に示すように、屋根板１０Ｂの斜掛止部１８を前記屋根板１０Ａの凹入部Ｘ内に挿入すると、斜掛止部１８の先端は壁部２３の内面に当接して底面部１６を棚受部２２上に位置した後、屋根板１０Ｂの主要部である平坦部１１の軒側端に設けた斜掛止部１８の先端を、壁部２３の内面から湾曲部２４にスムースに摺動させて係止段部２７に係止させる。屋根板１０Ｂの棟側連結部（図示せず）は、屋根板１０Ａに吊子片を連結する場合と同様に、他の吊子片を用い順次棟側方向に前記工程を繰返すことにより屋根葺きを行うものである。
【００３５】
図５に示した第２の屋根板１０ａと吊子片３０を使用して屋根葺工法について説明すると、屋根板１０ａと吊子片３０との連結は、第１の屋根板１０と同様であるので説明を省略する。
【００３６】
図９において、第２の屋根板１０ａの平坦部１１ａの裏面と棟側連結部２０ａの外側に断熱部材４８を装着してあるため、吊子片３０の立上部３６の軒側壁面中央に水平方向に細巾をした係止突起３７と棟側連結部２０ａの壁部２３および平坦部１１ａの下支点１２ａと吊子片３０の支持受部３２との間に断熱部材４８を介在させてある。そのため、第２の屋根板１０ａと吊子片３０とは直接当接しない。また、吊子片３０の距離Ｈと、屋根板１０ａの棟側連結部２０ａの距離Ｉとは、Ｈ＞Ｉの関係にしてあるので、壁部２３と立上部３６との間には係止突起３７または３７ａに距離Ｇを有しているためストレスは殆ど加わらず、第２の屋根板１０ａが温度変化により伸縮した際にも摩擦音（金属音）の発生を一層防止することができる。また、屋根板１０の連結部分に浮陸Ｔがあっても、温度変化により伸縮した際に生ずる摩擦音（金属音）の発生を防止することができる。
【００３７】
【発明の効果】
本発明は、屋根板の平坦部の軒側連結部に設けた掛止片を、他方の屋根板の棟側連結部に設けた係止段部に係止させ、壁部を吊子片の立上部の壁面に水平方向に設けた係止突起に当接させて線状の狭い範囲で接触させて互いの当接面積を少なくして連結したことにより、熱膨張による屋根板が伸縮した際に摩擦音（金属音）の発生を防止でき、野鳥の観察などを安心して行うことができる。さらに、屋根板の裏面および棟側連結部の外側に断熱部材を装着させると、外気の断熱、雨音などの防音、防湿、室内の保温効果を有するし、吊子片と屋根板の棟側連結部の外面とを直接接触させないため、温度変化により屋根板が伸縮した際に生ずる摩擦音（金属音）の発生を一層防止できる利点がある。
【図面の簡単な説明】
【図１】横葺屋根の片側部分を一部破断した平面図である。
【図２】本発明に係る第１の屋根板の端面図である。
【図３】本発明に係る第１の係止突起を有する吊子片の端面図である。
【図４】第２の係止突起を有する吊子片の端面図である。
【図５】本発明に係る第２の屋根板の端面図である。
【図６】屋根板の棟側連結部に複数の吊子片を取付けた状態の平面図である。
【図７】吊子片と屋根板の棟側連結部とを連結した状態の要部断面図である。
【図８】吊子片を用いて屋根板と屋根板の連結部分を屋根に取付けた状態の要部断面図である。
【図９】断熱部材を取付けた屋根板と屋根板の連結部分を屋根に取付けた状態の要部断面図である。
【図１０】従来の薄い金属屋根板の端面図である。
【図１１】従来のアルミ屋根板の端面図である。
【図１２】従来のアルミ押出成形で形成した吊子片の端面図である。
【図１３】従来の薄い金属製屋根板を使用して連結した状態の要部断面図である。
【図１４】従来のアルミ屋根板と吊子片とを使用して屋根に取付けた状態の要部断面図である。
【図１５】アルミ屋根板の連結部分の浮陸状態を表した要部断面図である。
【符号の説明】
１０    屋根板
１１    平坦部
１４    軒側連結部
１８    斜掛止部
２０    棟側連結部
２１    立上部
２３    壁部
２６    掛止部
２７    係止段部
３０    吊子片
３１    基板
３２    支持受部
３６    立上部
３７    係止突起
３８    上面部
３９    係止受部
４８    断熱部材
【図１】
2004162420.tif 000003
【図２】
2004162420.tif 000004
【図３】
2004162420.tif 000005
【図４】
2004162420.tif 000006
【図５】
2004162420.tif 000007
【図６】
2004162420.tif 000008
【図７】
2004162420.tif 000009
【図８】
2004162420.tif 000010
【図９】
2004162420.tif 000011
【図１０】
2004162420.tif 000012
【図１１】
2004162420.tif 000013
【図１２】
2004162420.tif 000014
【図１３】
2004162420.tif 000015
【図１４】
2004162420.tif 000016
【図１５】
2004162420.tif 000017